(57)【要約】【課題】携帯端末と外部アンテナとを電磁的に接続することのできる放送受信装置を提供する【解決手段】外部アンテナに接続される携帯端末用台１と、携帯端末用台１に着脱自在に装着される携帯端末３とを有し、携帯端末用台１は外部アンテナに接続される第１コイル１８を有し、携帯端末３は、携帯端末用台１に装着された状態で第１コイル１８に電磁的に結合される第２コイル３１と、第２コイル３１に接続された放送信号受信部３４と、放送信号受信部３４で受信された放送信号に基づく放送を報知する報知部３ａとを有し、携帯端末３が携帯端末用台１に装着された状態で、外部アンテナを介して放送信号が受信されると、放送信号は第１コイル１８から第２コイル３１に電磁誘導にて伝送され、放送信号受信部３４に供給される。【選択図】図２
2007295435.tif 000002
【特許請求の範囲】
【請求項１】
外部アンテナに接続される携帯端末用台と、該携帯端末用台に着脱自在に装着される携帯端末とを有し、
前記携帯端末用台は、前記外部アンテナに接続される第１コイルを有し、
前記携帯端末は、前記携帯端末用台に装着された状態で前記第１コイルに電磁的に結合される第２コイルと、該第２コイルに接続された放送信号受信部と、該放送信号受信部で受信された放送信号に基づく放送を報知する報知部とを有し、
前記携帯端末が前記携帯端末用台に装着された状態で、前記外部アンテナを介して放送信号が受信されると、前記放送信号は前記第１コイルから前記第２コイルに電磁誘導にて伝送され、前記放送信号受信部に供給されるように構成したことを特徴とする放送受信装置。
【請求項２】
前記第１コイルおよび前記第２コイルの少なくとも一方は平面コイルからなることを特徴とする請求項１に記載の放送受信装置。
【請求項３】
前記第１コイルおよび前記第２コイルの一方は空芯コイルからなり、前記携帯端末が前記携帯端末用台に装着された状態において、前記空芯コイルの空芯部分に他方のコイルの少なくとも一部が進入するように構成されていることを特徴とする請求項１に記載の放送受信装置。
【請求項４】
前記第１コイルと前記第２コイルとの電磁的結合状態を維持しながら、前記携帯端末を前記携帯端末用台に対して相対的に回動可能に支持する支持手段を有することを特徴とする請求項１乃至３のいずれか一項に記載の放送受信装置。
【請求項５】
前記携帯端末は、さらに通信に係る情報を電磁波として送受信する送受信部を有し、
前記第１コイルは、前記送受信部が送受信する電磁波の周波数よりも、前記放送信号受信部で受信する放送信号の周波数に近い共振周波数を有することを特徴とする請求項１乃至４のいずれか一項に記載の放送受信装置。
【発明の詳細な説明】
【技術分野】
【０００１】
本発明は、携帯端末用台を介して外部アンテナからの放送信号を携帯電話等の携帯端末で受信する放送受信装置に関するものである。
【背景技術】
【０００２】
近年、携帯電話やＰＤＡ（Personal Digital Assistant）を典型例とする携帯端末として、電話や文字メッセージ等の通信に係る情報を電磁波として送受信する送受信機能の他に、例えばＡＭあるいはＦＭ等のラジオ放送や、ＶＨＦあるいはＵＨＦのテレビジョン放送等の放送信号を受信する放送受信機能を有し、ラジオ放送やテレビジョン放送等の放送信号を受信して、ラジオ番組を聴取したり、テレビジョン番組を視聴したり、あるいは受信放送番組を記録したりするものが提案されている。
【０００３】
この種の携帯端末は、一般に、内蔵アンテナあるいはアンテナ兼用イアホンケーブル等の簡易アンテナを介して放送信号を受信していることから、電波環境の影響を強く受けることになる。このため、特に電波環境の悪い屋内では、良好な受信状態を得ることが難しく、その結果、放送番組を充分満足して受信できないことが多い。
【０００４】
このような問題を解決し得るものとして、携帯端末を外部アンテナからの受信信号を入力可能に構成するとともに、この携帯端末を着脱自在に装着するクレードルを、外部ケーブルを介して外部アンテナに接続可能に構成して、携帯端末をクレードルに装着することにより、外部アンテナからの受信信号を外部ケーブルおよびクレードルを介して携帯端末に入力するようにしたものが知られている（例えば、特許文献１参照）。
【０００５】
このように、携帯端末を外部アンテナからの受信信号を入力可能に構成すれば、外部アンテナは屋外などの電波環境の良好な場所に設置されて、電波環境の影響をほとんど受けることがないので、高品位の放送信号を受信することができ、放送番組を充分満足して受信することが可能となる。
【特許文献１】特開２００５−７３００５号公報
【発明の開示】
【発明が解決しようとする課題】
【０００６】
しかしながら、上記の特許文献１に開示の技術は、携帯端末に付属コネクタ部を設け、クレードルには外部アンテナに接続される外部コネクタ部を設けて、携帯端末をクレードルに押圧装着することにより、携帯端末の付属コネクタ部をクレードルの外部コネクタ部に嵌め込んで両者を機械的に接触させることで、電気的に接続するよう構成されている。
【０００７】
このため、クレードルに対する携帯端末の繰り返しの着脱によって、付属コネクタ部と外部コネクタ部との接触部が磨耗したり、破損したりして、接触不良が生じ、信頼性が低下することが懸念される。
【０００８】
したがって、かかる事情に鑑みてなされた本発明の目的は、携帯端末と外部アンテナとを電磁的に接続することのできる放送受信装置を提供することにある。
【課題を解決するための手段】
【０００９】
上記目的を達成する請求項１に係る放送受信装置の発明は、外部アンテナに接続される携帯端末用台と、該携帯端末用台に着脱自在に装着される携帯端末とを有し、
前記携帯端末用台は、前記外部アンテナに接続される第１コイルを有し、
前記携帯端末は、前記携帯端末用台に装着された状態で前記第１コイルに電磁的に結合される第２コイルと、該第２コイルに接続された放送信号受信部と、該放送信号受信部で受信された放送信号に基づく放送を報知する報知部とを有し、
前記携帯端末が前記携帯端末用台に装着された状態で、前記外部アンテナを介して放送信号が受信されると、前記放送信号は前記第１コイルから前記第２コイルに電磁誘導にて伝送され、前記放送信号受信部に供給されるように構成したことを特徴とするものである。
【００１０】
請求項２に係る発明は、請求項１に記載の放送受信装置において、前記第１コイルおよび前記第２コイルの少なくとも一方は平面コイルからなることを特徴とするものである。
【００１１】
請求項３に係る発明は、請求項１に記載の放送受信装置において、前記第１コイルおよび前記第２コイルの一方は空芯コイルからなり、前記携帯端末が前記携帯端末用台に装着された状態において、前記空芯コイルの空芯部分に他方のコイルの少なくとも一部が進入するように構成されていることを特徴とするものである。
【００１２】
請求項４に係る発明は、請求項１乃至３のいずれか一項に記載の放送受信装置において、前記第１コイルと前記第２コイルとの電磁的結合状態を維持しながら、前記携帯端末を前記携帯端末用台に対して相対的に回動可能に支持する支持手段を有することを特徴とするものである。
【００１３】
請求項５に係る発明は、請求項１乃至４のいずれか一項に記載の放送受信装置において、前記携帯端末は、さらに通信に係る情報を電磁波として送受信する送受信部を有し、
前記第１コイルは、前記送受信部が送受信する電磁波の周波数よりも、前記放送信号受信部で受信する放送信号の周波数に近い共振周波数を有することを特徴とするものである。
【発明の効果】
【００１４】
本発明の放送受信装置によれば、携帯端末と外部アンテナとを電磁的に接続することができるので、接触不良が生じるおそれがなく、装置の信頼性を向上させることができる。
【発明を実施するための最良の形態】
【００１５】
以下、本発明の実施の形態について、図を参照して説明する。
【００１６】
（第１実施の形態）
図１は、本発明の第１実施の形態に係る放送受信装置を示す斜視図である。本実施の形態の放送受信装置は、携帯端末用台１と、この携帯端末用台１に着脱自在に装着される携帯電話として例示する携帯端末３とを有している。
【００１７】
携帯端末３は、８００ＭＨｚ帯域または２ＧＨｚ帯域での電話や文字メッセージ等の通信に係る情報を電磁波として送受信する送受信機能（送受信部）の他に、ラジオ放送やテレビジョン放送等の放送信号を受信する放送受信機能（放送信号受信部３４）、および受信した放送の報知部であるスピーカ（図示せず）やディスプレイ３ａを有するとともに、各種の操作や文字入力等を行うための操作部３ｂを有している。
【００１８】
また、携帯端末用台１は、図示しない外部アンテナに接続される外部ケーブル２が着脱自在に接続可能になっており、携帯端末３が所定の姿勢で装着された状態で、外部アンテナでの受信信号が外部ケーブル２および携帯端末用台１を経て携帯端末３に入力されて、該携帯端末３の放送信号受信部で受信されるようになっている。
【００１９】
このため、図２に本放送受信装置の要部の概略断面図を示すように、携帯端末用台１のロアケース１０には、外部ケーブル２が接続されるケーブル接続端子部１６が、ロアケース１０の底面に臨ませて配置され、ロアケース１０の底面側から外部ケーブル２の端子であるプラグ１７が差し込まれるようになっている。
【００２０】
なお、ケーブル接続端子部１６は、めす型の中心コンタクト１６ａの外側に外部コンタクト１６ｂおよびフランジ１６ｃを同軸的に配置して成る同軸コネクタ構造を有しており、外部ケーブル２のプラグ１７のおす型の中心コンタクト１７ａをケーブル接続端子部１６の中心コンタクト１６ａに、プラグ１７の外側のコンタクトリング１７ｂをケーブル接続端子部１６の外部コンタクト１６ｂに、それぞれ差し込むことによって、ケーブル接続端子部１６とプラグ１７とが電気的に接続されるようになっている。
【００２１】
また、携帯端末用台１のアッパーケース１５には、携帯端末３が着脱自在に装着される端末設置部１５ａの裏面（内側）の所定位置に、第１コイルとして例えばプリントコイルなどの平面状に巻回してなる平面コイル１８が接着等により固定して設けられている。この平面コイル１８は、図３の要部の回路図に示すように、その一端が外部ケーブル２の芯線が接続されたケーブル接続端子部１６の中心コンタクト１６ａに接続され、他端が終端抵抗１９を介して外部ケーブル２のグランド線が接続されたケーブル接続端子部１６の外部コンタクト１６ｂに接続される。
【００２２】
同様に、携帯端末３には、当該携帯端末３を携帯端末用台１の端末設置部１５ａに正しく装着した状態で、携帯端末用台１側の平面コイル１８と対向して電磁的に結合される平面コイル１８と同様の平面コイル３１が、携帯端末３のケース３０の裏面（内側）に接着等により固定して設けられている。この平面コイル３１は、図３に示すように、一端を携帯端末３に設けられている放送信号受信用の内蔵アンテナ３３に接続し、他端を放送信号受信部３４に接続される。
【００２３】
ここで、携帯端末用台１側の平面コイル１８は、携帯端末３が送受信を行う８００ＭＨｚ帯域や２ＧＨｚ帯域の周波数よりも、放送信号受信部３４で受信する放送信号の周波数に近い共振周波数を有するように構成する。例えば、放送信号受信部３４がＦＭのラジオ放送からＵＨＦのテレビジョン放送までの放送信号を受信可能な場合には、７０ＭＨｚ〜７７０ＭＨｚの帯域のほぼ中間に共振周波数を有するように平面コイル１８を構成する。
【００２４】
そのようにすれば、携帯端末３が送受信を行う８００ＭＨｚ帯域や２ＧＨｚ帯域の周波数を有する通信に係る電磁波が外部ケーブル２により受信されて平面コイル１８に到達した場合であっても、そのような通信に係る電磁波が放送信号受信部３４で受信する放送信号よりも優先的に平面コイル３１に電磁誘導されることはなく、通信に係る電磁波が放送信号受信部３４により受信されてしまうことを好適に抑制することができる。
【００２５】
また、平面コイル１８は、携帯端末３が送受信を行う８００ＭＨｚ帯域や２ＧＨｚ帯域において、利得が充分低下するＱ値を有するように構成される。ここで、Ｑ値とは、コイル特性により定まるコイルの尖鋭度を示し、平面コイル１８が有する共振曲線の幅を示すものである。
【００２６】
なお、携帯端末３側の平面コイル３１も、携帯端末用台１側の平面コイル１８と同様に構成される。
【００２７】
本実施の形態によれば、携帯端末３が携帯端末用台１の端末設置部１５ａに正しく装着されることで、携帯端末用台１側の平面コイル１８と携帯端末３側の平面コイル３１は対向されて電磁的に結合状態となるため、外部アンテナで受信されて外部ケーブル２を経て携帯端末用台１側の平面コイル１８に供給される放送信号は、平面コイル１８から携帯端末３側の平面コイル３１に電磁誘導されて放送信号受信部３４に供給される。
【００２８】
したがって、携帯端末用台１と携帯端末３とを、特許文献１に開示の技術のようにコネクタ同士を機械的に接触させて電気的に接続する必要がないので、接触不良が生じることがなく、装置の信頼性を向上することができる。また、携帯端末用台１と携帯端末３とを機械的に接続する必要がないことから、設計上の自由度も向上できる。
【００２９】
さらに、携帯端末３を携帯端末用台１に装着して外部アンテナからの放送信号の受信中に、携帯端末３から電話や文字メッセージ等のデータの送受信が行われても、携帯端末用台１側の平面コイル１８および携帯端末３側の平面コイル３１は、それぞれ携帯端末３が送受信を行う８００ＭＨｚ帯域や２ＧＨｚ帯域において利得が充分低下する共振周波数およびＱ値を有するよう構成されるので、送受信の際の電磁波が内蔵アンテナ３３や外部アンテナあるいは外部ケーブル２等で受信されても、受信中の放送信号に混入するノイズを充分低減することができる。したがって、受信中の放送番組の画像や音声等が乱れる等の影響の少ない高品位の放送信号を受信することができる。
【００３０】
また、本実施の形態では、携帯端末用台１側の第１コイルを平面コイル１８としているので、端末設置部１５ａを平坦にでき、アッパーケース１５の加工が容易になるとともに、携帯端末用台１の小型化および薄型化が図れる。同様に、携帯端末３側の第２コイルを平面コイル３１としているので、携帯端末用台１の端末設置部１５ａに接する携帯端末３のケース３０の部分を平坦にでき、ケース３０の加工が容易になるとともに、携帯端末３の小型化および薄型化が図れる。
【００３１】
（第２実施の形態）
図４は、本発明の第２実施の形態に係る放送受信装置の要部の概略構成を示す断面図である。
【００３２】
本実施の形態の放送受信装置は、第１実施の形態において、携帯端末用台１のアッパーケース１５の端末設置部１５ａを携帯端末用台１の設置面に対してほぼ水平になるように形成するとともに、その端末設置部１５ａのほぼ中央部に凸部１５ｂを形成し、この凸部１５ｂの内側に、第１コイルとしてコア２０を有する巻線コイル２１を設ける。この巻線コイル２０は、コイル軸が端末設置部１５ａの法線方向（垂直方向）となるように接着等により固定して、第１実施の形態と同様に、その一端はケーブル接続端子部１６の中心コンタクト１６ａに接続され、他端は終端抵抗１９を介してケーブル接続端子部１６の外部コンタクト１６ｂに接続される。
【００３３】
また、携帯端末３には、携帯端末用台１への装着面となるケース３０の中央部に、携帯端末用台１側の凸部１５ｂに対して挿脱可能な凹部３５（支持手段）が設けられ、携帯端末３は、凹部３５および凸部１５ｂが互いに挿脱されることにより携帯端末用台１への着脱状態を切り替えることができる。また、凹部３５は凸部１５ｂに対して凸部１５ｂを軸にして相対回動可能に構成されているため、携帯端末３は、携帯端末用台１に対して挿入されている状態において、凹部３５の凸部１５ｂに対する当該相対回動に伴って携帯端末用台１に対して相対回動することができるよう構成されている。また、携帯端末３のケース３０の裏面（内側）には凹部３５を巻回するように形成される第２コイルとしての空芯コイル３６を有して構成される。この空芯コイル３６は、第１実施の形態と同様に、その一端が携帯端末３に設けられている放送信号受信用の内蔵アンテナ３３に接続され、他端が放送信号受信部３４に接続されるとともに、携帯端末３が携帯端末用台１に対して挿入状態となると、その空芯部分に携帯端末用台１の巻線コイル２１の少なくとも一部が進入するように形成されている。このように構成することにより、携帯端末３が携帯端末用台１に装着された状態における空芯コイル３６と巻線コイル２１との密着度を上げることができ、互いの電磁的結合をより強固なものにすることができる。
【００３４】
なお、携帯端末用台１側の巻線コイル２１および携帯端末３側の空芯コイル３６は、第１実施の形態と同様に、携帯端末３が送受信を行う８００ＭＨｚ帯域や２ＧＨｚ帯域の周波数よりも、放送信号受信部３４で受信する放送信号の周波数に近い共振周波数を有しており、例えば受信する放送信号帯域のほぼ中間に共振周波数を有している。また、同じく携帯端末３が送受信を行う８００ＭＨｚ帯域や２ＧＨｚ帯域において、利得が充分低下するＱ値を有するように構成されている。
【００３５】
本実施の形態によれば、携帯端末用台１側の凸部１５ｂが携帯端末３の凹部３５に挿入されることで、携帯端末３が携帯端末用台１の端末設置部１５ａに装着される構成であるため、携帯端末３が携帯端末用台１に装着されると、携帯端末用台１側の巻線コイル２１と携帯端末３側の空芯コイル３６とは電磁的に結合され、外部アンテナで受信されて携帯端末用台１側の巻線コイル２１に供給される放送信号は、巻線コイル２１から携帯端末３側の空芯コイル３６に電磁誘導されて放送信号受信部に供給されることになる。
【００３６】
したがって、第１実施の形態と同様に、巻線コイル２１と空芯コイル３６とを互いに機械的に接触させて電気的に接続する必要がないので、接触不良を生じさせることなく、互いに電磁的に結合することができ、よって装置の信頼性を向上することができる。しかも、本実施の形態では、携帯端末用台１側の巻線コイル２１にコア２０を設けたので、携帯端末３側の空芯コイル３６との相互インダクタンスを大きくでき、これにより外部アンテナから巻線コイル２１に供給される放送信号に基づいて、空芯コイル３６には大きな起電力が誘導されることとなり、携帯端末３において常に高品位の放送信号を安定して受信することができる。
【００３７】
また、携帯端末３は、携帯端末用台１に装着した状態で、携帯端末用台１側の巻線コイル２１と携帯端末３側の空芯コイル３６との電磁的結合状態を維持しながら、携帯端末用台１側の凸部１５ｂを軸として回動可能となっているので、例えば携帯端末用台１に接続された外部アンテナ用の同軸ケーブルの剛性が高く、携帯端末用台１を移動させて携帯端末３の向きを容易に変えられない場合でも、図５に示すように、携帯端末用台１に対して携帯端末３を回動させることで、携帯端末３を所望の向きに容易に変えることができる。したがって、携帯端末３のディスプレイ３ａや操作部３ｂを容易に所望の向きに変更できるので、使い勝手を向上させることができる。
【００３８】
なお、本発明は、上記実施の形態に限定されるものではなく、幾多の変更または変形が可能である。例えば、第１実施の形態において、携帯端末用台１側の平面コイル１８および携帯端末３側の平面コイル３１のいずれか一方または双方を空芯コイルとしたり、コア入りコイルとしたりすることもできる。また、第２実施の形態においては、例えば携帯端末用台１側の巻線コイル２１のコア２０を省略して空芯コイルとしたり、携帯端末用台１側および携帯端末３側のいずれか一方または双方のコイルを、携帯端末３の回動中心軸をコイル軸とする平面コイルとしたりするもともできる。
【００３９】
また、携帯端末用台１のケーブル接続端子部１６を省略して、携帯端末用台１に同軸ケーブルの一端側を保持し、この同軸ケーブルの一端側を第１コイルおよび終端抵抗を介して終端して、他端側に外部アンテナや、外部アンテナに接続されたケーブル端子に接続可能なプラグを設けるようにしてもよい。さらに、携帯端末用台１には、携帯端末３の充電機能を付加することもできる。また、携帯端末３は、放送受信機能のみを有するものであってもよい。
【図面の簡単な説明】
【００４０】
【図１】第１実施の形態に係る放送受信装置を示す斜視図である。
【図２】第１実施の形態の要部の概略断面図である。
【図３】同じく、要部の回路図である。
【図４】第２実施の形態に係る放送受信装置の要部の概略構成を示す断面図である。
【図５】第２実施の形態の使用態様を説明するための図である。
【符号の説明】
【００４１】
１  携帯端末用台
２  外部ケーブル
３  携帯端末
３ａ  ディスプレイ
３ｂ  操作部
１０  ロアケース
１５  アッパーケース
１５ａ  端末設置部
１５ｂ  凸部
１６  ケーブル接続端子部
１７  プラグ
１８  平面コイル
１９  終端抵抗
２０  コア
２１  巻線コイル
３０  ケース
３１  平面コイル
３３  内蔵アンテナ
３４  放送信号受信部
３５  凹部
３６  空芯コイル
【図１】
2007295435.tif 000003
【図２】
2007295435.tif 000004
【図３】
2007295435.tif 000005
【図４】
2007295435.tif 000006
【図５】
2007295435.tif 000007